(57)【要約】【課題】  ポイントに達するまでは、確実にふたを閉じておくことができ、ポイントで確実にふたを開くことができるようにする。【解決手段】  かごが水面に達するまでの第１段階で、ふた部材３０をしっかりと閉じた状態（ロック状態）に維持した上、かごが水面に達した時点以降の第２段階では、釣竿をあおることによってふた部材３０を確実に開くことができる弱い閉じ状態（半ロック状態）にする。そのため、ふた部材３０の揺動支点側にばね部材６０を設け、ふた部材３０に対し径方向に向かうばね力を付与しておく。ふた部材３０は、爪３２２が止め部材７０の凹部７２にはまり合うときロック状態である。また、ふた部材３０は、水面からの衝撃を受けると、爪３２２が止め部材７０の傾斜部分７４へと位置を変える。その状態が、半ロック状態である。  【選択図】      図１
2006158257.tif 000002
【特許請求の範囲】
【請求項１】
撒き餌を入れるための内部空間、およびその内部空間に連絡する開口であり、内部空間に入った撒き餌を内部空間から外部へ放出するための開口を含むかご本体と、
そのかご本体に取り付けられ、前記開口を被うためのふたであり、前記開口の径方向の一端の第１端部が揺動支点側となり、その揺動支点側とは径方向反対の第２端部が止め側となり、その止め側を前記かご本体に止めることによって前記開口を閉じ、その止め側を前記かご本体から外すことによって前記開口を開くことができるふた部材とを備え、  前記第１端部における揺動支点側は、その揺動支点側を中心にして前記ふた部材を揺動可能に支持する部分であり、ばね力をもって前記ふた部材を径方向に動かす力を与える構成であり、しかも、
前記第２端部における止め側は、前記ふた部材およびかご本体のいずれか一方の側の爪が他方の側の凹部にはまり合うロック状態、前記爪が前記凹部から外れ、その凹部に隣り合う傾斜部分に位置し、所定の外力を加えることにより、前記ふた部材の止め側を前記かご本体から外すことができる半ロック状態との二つの止め状態を備え、
外部からの衝撃を受けるとき、前記揺動支点側のばね力によって、前記ロック状態から半ロック状態に変化することを特徴とする、撒き餌装置。
【請求項２】
前記所定の外力は、水の抵抗や流れにより、前記ふた部材を下方に押す力である、請求項１の撒き餌装置。
【請求項３】
前記外部からの衝撃は、撒き餌装置が着水するときに受ける衝撃である、請求項１の撒き餌装置。
【請求項４】
前記かご本体は、前記開口が下方に位置し、その上方には、道糸を連結するための連結部があり、さらに、その連結部と前記開口との間に、水が流入する部分がある、請求項１の撒き餌装置。
【請求項５】
前記ふた部材は、前記開口を閉じた状態で、前記かご本体の外周に突き出る部分があり、その突き出た部分が前記所定の外力を受ける、請求項１の撒き餌装置。
【請求項６】
前記撒き餌装置は、釣用の浮きあるいはこませかごのいずれか一つである、請求項１の撒き餌装置。
【発明の詳細な説明】
【技術分野】
【０００１】
この発明は、開閉可能なふたを開くことにより、開口を通して撒き餌を外に放出する撒き餌装置に関し、特には、開口を閉じるふたをロック状態と半ロック状態との二つの止め状態にした技術に関する。
【背景技術】
【０００２】
この種の撒き餌装置は、かごを遠投する投げ釣りだけでなく、かごを船の近くに投入する船釣りでも用いられる。撒き餌装置は、撒き餌を放出することにより魚を有効に集めるため、いわゆるポイントで撒き餌を放出することが望ましい。たとえば、かごを海中に投げ込んだ時点ではふたは閉じたままであり、所定の水深に達したときに、かごのふたを開き、内部の撒き餌を放出することが望ましい。次の各特許文献は、そのような要望に応える撒き餌技術の例である。
【０００３】
【特許文献１】実開平４−１０６９８５号公報  この特許文献１は、径方向の一端を蝶番で揺動可能に支持する一方、径方向の他端を所定の強さでかご本体にはめ合わせた底ふたであり、ふたの外周に水流を受圧する受圧部分を備えるものを示している。底ふたのはめ合い強さは、かごを水中に投げ込むときの衝撃ではふたが開かず、釣竿をあおり、受圧部分に水流を受けて外れる大きさである。
【０００４】
【特許文献２】実開昭５７−７２２８６号公報  この特許文献２は、プラスチック製のかご本体に割込み（あるいは切込み）を入れることによってばね作用をもつ止め部分を構成し、その止め部分のばね力を利用し、ふた部材の自由端の側（揺動支点とは反対側）を止め部分に開閉可能に支持することを示している。ここでも、釣竿のあおりに伴う水圧によって、ふた部材を開いて撒き餌を放出する。
【発明の開示】
【発明が解決しようとする課題】
【０００５】
特許文献１や２は、比較的にシンプルな構成により、釣り人が望む位置で撒き餌を放出することができる技術を示す。しかし、それらには、共通した技術的な難点がある。底ふた（あるいはふた部材）のはめ合い強さを適正に設定することが困難であるという問題である。はめ合い強さを強めに設定すれば、釣竿をあおっても底ふたを開くことができなくなるおそれがあるし、かといって、はめ合い強さを弱めに設定すれば、水中に入る前の外力（たとえば、投げ込むときの遠心力や水面に着水するときの衝撃力）でかごの底ふたが開いてしまうおそれがある。
【０００６】
そこで、この発明は、かごが水中に入るまでは確実にふたを閉じておくことができ、しかも、着水した後に所定のところでふたを確実に開くことができる撒き餌技術を提供することを目的とする。
【０００７】
この発明は、また、いわゆるこませかごだけでなく、釣用の浮きにも適用することができる技術を提供することをも目的とする。
【０００８】
この発明のさらに他の目的については、以下の説明から明らかになるであろう。
【課題を解決するための手段】
【０００９】
この発明の基本的な考え方は、かごが水面に達するまでの第１段階で、ふた部材をしっかりと閉じた状態（ロック状態）に維持した上、かごが水面に達した時点以降の第２段階では、たとえば、釣竿をあおることによってふた部材を確実に開くことができるような弱い閉じ状態（半ロック状態）にすることにある。
【００１０】
この発明を適用する撒き餌装置は、かご（あるいは、かご本体）が撒き餌を放出する開口をもち、その開口をふた部材が開閉可能にふさいでいる。ふた部材は、径方向の一端の第１端部が揺動支点側となり、その揺動支点側とは径方向反対の第２端部が止め側になっている。
【００１１】
この発明では、ふた部材の揺動支点側を、ふた部材を径方向に動かす力を与える構成にする。径方向に動かす力は、ばね力によって得る。好ましい形態では、かご本体にふた部材を揺動可能に取り付ける部材としてばね部材（ピアノ線のようなばね線、あるいはばね板など）を利用し、そのばね部材が径方向に動かす力、つまりはばね力を生じるようにする。また、別の形態では、かご本体をプラスチック製とし、そこに切込みを入れることによって、切込みが区画する片部分がかご本体の残りの部分に対して弾性変形するようにし、その片部分の先にふた部材の端を揺動可能に支持する。
【００１２】
そのような第１端部の揺動支点側に対し、径方向反対の第２端部の止め側は、ふた部材およびかご本体のいずれか一方の側の爪が他方の側の凹部にはまり合うロック状態、爪が凹部から外れ、その凹部に隣り合う傾斜部分に位置し、所定の外力を加えることにより、ふた部材の止め側をかご本体から外すことができる半ロック状態との二つの止め状態を備える。好ましい形態では、ふた部材の側に爪があり、その爪がかご本体の側の凹部にはまり合う（ここで、「はまり合う」とは、爪が凹部に入り込んだり、引っ掛かり、あるいは互いに結合することをいう。ただ、後での説明から分かるように、その結合は、外部からの衝撃を受け、しかも、前記の径方向に動かす力が加わることにより容易に外れるような関係である）。さらに好ましくは、凹部の周縁に、爪に結合する補助爪を設けることにより、ロック状態でのロックをより確実にすることができる。
【００１３】
また、凹部に隣り合う傾斜部分は、かご本体の軸線に対してたとえば５°〜１５°ほどに傾斜したテ−パ−、または、円弧形状あるいは球面形状である。この傾斜部分は、凹部から出た爪を支持し、ふた部材を閉じたままに維持することができ、また、釣竿をあおるなどすることによって、爪をその傾斜部分から容易に移動させることができるように設定する。したがって、爪が傾斜部分に位置する状態は、前記したロック状態に比べて、比較的弱い外力によって、止め側の閉じ状態を解除することができる状態（半ロック状態）である。
【００１４】
この発明の撒き餌装置は、爪が凹部にはまり合ったロック状態で海や川に投げ入れるので、それが水面に達するまでは、ふた部材は確実に閉じ状態を保つ。そして、それが水面に達し、着水による衝撃を受けると、それ自身がもつ、ふた部材を径方向に動かすばね力と相俟って、爪が凹部から外れ、傾斜部分に位置するようになる。爪が傾斜部分に位置する状態は、半ロック状態であり、釣竿をあおるなどしてふた部材に所定の外力を加えることにより、ふた部材の止め側をかご本体から簡単かつ確実に外すことができる。したがって、ねらいとするポイントに撒き餌を放出することができる。
【第１の実施例】
【００１５】
図１は、投げ釣りに適した撒き餌装置の第１の実施例を示す斜視図である。撒き餌装置１０は、全体が金属製であり、撒き餌を入れるための内部空間を区画するかご本体２０と、そのかご本体２０の底部に位置するふた部材３０とを備える。かご本体２０には、円筒形状の側壁２２と、その側壁２２の上方を取り囲む網目状の屋根２４とがある。屋根２４の頂上に、上方に延びるリング２４２、および横方向（水平方向）に延びる天秤２４４がある。リング２４２は、道糸を連結するための連結部であり、また、天秤２４４は、その先端にハリスを取り付けるためのロッドである。
【００１６】
かご本体２０の側壁２２の底部に開口２６がある。その開口２６を被うものが、球面形状をしたふた部材３０である。ふた部材３０は、開口２６を閉じることによって、撒き餌をかご本体２０の内部に閉じ込め、また、開口２６を開放することによって、かご本体２０の内部の撒き餌を開口２６を通して外に放出する。撒き餌装置１０では、かご本体２０の底部の開口２６が、撒き餌を放出するための出口と、撒き餌を入れるための入口とを兼ねている。なお、ふた部材３０の中には、通常、鉛を充填して重りとしての機能をもたせる。
【００１７】
開口２６を開閉可能なふた部材３０は、開口２６の径方向の一端の第１端部４０が揺動支点側となり、その揺動支点側とは径方向反対の第２端部５０が止め側になっている。今までのふた部材においては、ふた部材の揺動支点側は、一般に蝶番で構成され、その蝶番による揺動あるいは回転中心は不動であり、位置が変わることはなかった。しかし、この発明の撒き餌装置１０では、ふた部材３０の揺動支点を蝶番のような構成にはするが、その揺動支点の中心位置を変動可能に構成している。コ字形状のばね部材６０を用いて、ふた部材３０をかご本体２０の側壁２２に連結する。ばね部材６０は、ピアノ線であり、コ字の２つの端にコイル部６２をもつ。ばね部材６０は、また、それらコイル部６２から離れた部分に直線部６４をもち、その直線部６４が回転軸となる。ばね部材６０は、直線部６４にふた部材３０の第１フランジ３１を回転可能に支持しつつ、２つのコイル部６２をかご本体２０の側壁２２の外面に溶接等により固定する。それにより、ばね部材６０は、直線部６４を中心にしてふた部材３０を揺動可能に支持する。その上、ばね部材６０は、ふた部材３０に径方向のばね力を与える。そのばね力は、ふた部材３０を第１端部４０から第２端部５０に向かうように径方向に動かそうとするとき（あるいは、そのように動かしたとき）、その動きを戻そうとする方向の力である。
【００１８】
次に、第１端部４０とは径方向反対の第２端部５０に目を移そう。ふた部材３０は、第１端部４０の第１フランジ３１と対称的に第２フランジ３２をもつ。第２フランジ３２は、第１フランジ３１と同様に外向きの片であり、径方向の先端（つまり、外周端）に折り曲がった爪３２２をもつ。この爪３２２は、かご本体２０の側の止め部材７０に支持されるとき、ふた部材３０を閉じ状態に維持する。一方、爪３２２は、それが止め部材７０から外れるとき、ふた部材３０を開き状態にする。
【００１９】
止め部材７０は、フック形状であり、根本の部分がかご本体２０の側壁２２の外面に固定され、先端側は爪３２２をもつ第２フランジ３２に臨んでいる。止め部材７０は、径方向外側の部分に口が上に開いた凹部７２、その凹部７２の内周側に傾斜部分７４、そして、傾斜部分７４と凹部７２との境の部分に補助爪７３をそれぞれもつ。傾斜部分７４は、かご本体２０の軸線に対してたとえば５°〜１５°ほどに傾斜したテ−パ−である。ふた部材３０の側の爪３２２を、ばね部材６０をわずかに弾性変形させつつ止め部材７０の凹部７２にはまり合わせることができ、それによって、ふた部材３０を閉じ状態（つまり、かご本体２０の開口２６を被う状態）にする。そのとき、凹部７２の周縁に補助爪７３があるので、爪３２２は、補助爪７３に引っ掛ったようにして凹部７２にはまり合う。しかも、わずかに変形したばね部材６０が、ふた部材３０および爪３２２に径方向内側に向かうばね力を与えているため、爪３２２と止め部材７０との止め状態は安定する。
【００２０】
図２Ａ〜２Ｃは、図１の撒き餌装置１０の作動を順次示す部分的な側面図である。図２Ａは、撒き餌をかご本体２０の内部に入れ、ふた部材３０を閉じた状態を示している。この閉じ状態において、ふた部材３０の爪３２２は、止め部材７０の凹部７２にはまり合った状態にあり、ふた部材３０は容易には外れないロック状態である。そのようなロック状態で撒き餌装置１０を海に向かって投げ込むので、投げ込み時にふた部材３０が開き、撒き餌を失うことはない。
【００２１】
図２Ｂは、撒き餌装置１０が海面に着水した直後の状態を示している。海面へ着水するとき、撒き餌装置１０は衝突による衝撃を受け、その衝撃力とばね部材６０のばね力とにより、ふた部材３０の爪３２２は凹部７２から外れる。外れた爪３２２は、凹部７２に隣り合う傾斜部分７４に位置することになる。その状態のふた部材３０は、下方へ向かう力を与えることにより比較的容易に開くことができる状態であり、半ロック状態ということができる。
【００２２】
半ロック状態にある撒き餌装置１０を、釣竿をあおることによって、網目状の屋根２４から入る水流によりふた部材３０を下方に押し、爪３２２と傾斜部分７４との係わり合いを解除することができる。図２Ｃは、爪３２２が傾斜部分７４から外れ、ふた部材３０が第１端部４０側を中心に揺動し、開口２６を開いた状態を示している。この発明の撒き餌装置１０では、比較的弱い力（投げ入れ時のロック状態を解除するのに必要な力よりも弱い力）でふた部材３０を開くことができる。
【第２の実施例】
【００２３】
図３は、釣用の浮きに適用した撒き餌装置の第２の実施例を示す斜視図である。浮きとしての撒き餌装置２１０は、多くの部分が第１の実施例と同様である。したがって、同様の構成部分については、同一の符号を付けて、その詳しい説明を省略する。こませかごとしての第１の実施例と、浮きとしての第２の実施例とのちがいは、数点である。第１のちがいは、第１の実施例におけるかご本体２０の屋根２４が網目状であり、水の出入りが可能であったのに対し、撒き餌装置２１０では、屋根がプラスチック製の浮力部材２４０になっている。その結果、半ロック状態のとき、網目状の屋根２４の部分から流れ込む水流を期待することはできない。そこで、撒き餌装置２１０は、第２のちがいをもつ。すなわち、ふた部材３０が、その外側をほぼ全周にわたって取り囲むリング型のフランジ２３３をもつというちがいである。撒き餌装置２１０においては、そのリング型のフランジ２３３が受ける水圧を利用してふた部材３０を開くことができる。浮きとしての撒き餌装置２１０は、水面に近い位置ではあるが、自分がねらうポイントで撒き餌を放出することができる。
【第３の実施例】
【００２４】
図４は、こませかごとしての別の実施例を示す、一部切り欠いた斜視図である。この第３の実施例は、かご本体の大きさは異なるが、多くの部分が第１の実施例と同様である。そこで、共通する構成部分については、同一の符号を付けるだけに止め、両者の相違する部分のみを説明する。第３の実施例では、釣竿をあおる際に屋根２４の頂上の連結部２４２を通して加わる力を利用して、ふた部材３０を開こうとする作用力を与えるためのリンク機構８０を付け加えている。リンク機構８０は、連結部２４２から下方に伸びる中心ロッド８２と、かご本体２０の側壁２２内周の支持プレ−ト８３に支持され、支点８３０を中心に揺動するレバ−８４と、レバ−８４の一端に支持され、中心ロッド８２と平行に下方に伸び、下端がふた部材３０に下方への押付け力を与えることができる第２のロッド８６とを備える。中心ロッド８２が上方に引かれると、中心ロッド８２の下端がレバ−８４の一端を上方に引き上げる。そのレバ−８４は、他端が第２ロッド８６を下方に押し下げ、その押し下げ力によって、ふた部材３０を下方に開放する。リンク機構８０をもつこの第３の実施例によれば、その種のリンク機構をもたない第１の実施例に比べて、釣竿を軽くあおることによりふた部材３０を開放することができる。
【図面の簡単な説明】
【００２５】
【図１】この発明の第１の実施例を示す斜視図である。
【図２Ａ】ロック状態を示す部分的な側面図である。
【図２Ｂ】半ロック状態を示す部分的な側面図である。
【図２Ｃ】ふた部材が開いた状態を示す部分的な側面図である。
【図３】この発明の第２の実施例を示す斜視図である。
【図４】この発明の第３の実施例を示す斜視図である。
【符号の説明】
【００２６】
１０  撒き餌装置（第１の実施例）
２０  かご本体
２６  開口
３０  ふた部材
３２２  爪
４０  第１端部
５０  第２端部
６０  ばね部材
７０  止め部材
７２  凹部
７４  傾斜部分
【図１】
2006158257.tif 000003
【図２Ａ】
2006158257.tif 000004
【図２Ｂ】
2006158257.tif 000005
【図２Ｃ】
2006158257.tif 000006
【図３】
2006158257.tif 000007
【図４】
2006158257.tif 000008